(57)【特許請求の範囲】
【請求項１】
少なくとも浴室内に水又は温水を供給する温水供給手段を備えたシステムバス内に設置される収納庫であって、浴室内に設けられた収納部と、該収納部と浴室内とを遮蔽する扉と、前記収納部内に空気を導入する導入口と、該導入口に接続され浴室外に開口される導入管と、前記収納部から空気を導出する導出口と、該導出口に接続され浴室外に開口される導出管と、前記収納部内に外気を供給する送風ファンと、前記温水供給手段に接続されて前記収納部近傍に配設され、前記収納部内を加熱する温水ヒータとを備え、前記送風ファンにより前記導入管を介して前記導入口から前記収納部内に浴室外の空気を導入すると共に前記導出口から前記導出管を介して空気を導出することにより前記収納部内を乾燥した状態に保持することを特徴とする乾燥収納庫。
【請求項２】
前記温水供給手段に接続され前記収納部内に水又は温水を噴射する噴射口と、噴射された水又は温水を前記収納部から排出する排出口とを備えたことを特徴とする請求項１に記載の乾燥収納庫。
【発明の詳細な説明】
【０００１】
【発明の属する技術の分野】
本発明は、システムバスの浴室内に設置されシャンプーや石鹸等の小物を収納する収納庫に関する。
【０００２】
【従来の技術】
近年においては、家屋の新築の際やリフォーム際に設置される浴室として、浴室内に設置される浴槽やカランあるいはシャワー等をシステムとして構築したシステムバスが主流となってきている。このようなシステムバスにおいては、浴室内にシャンプーや石鹸等の小物を置くために収納庫が設けられている場合が多い。また、このような収納庫は、小物を置くための収納部が棚により仕切られているものが一般的である。一方、浴室には一般に換気扇が設けられており、この換気扇により湿度の高い空気を浴室外に排出している。
【０００３】
しかしながら、棚により仕切られている収納庫は当該棚のために空気の流れが悪く、さらに収納庫内に置かれている小物によって収納庫内の空気の流れが妨げられるため、換気扇により浴室内を換気しても収納庫内は乾燥しにくい。従って、収納庫内は長時間湿度が高い状態となることが多いため、カビ等が発生しやすいという不都合がある。さらに、シャンプーや石鹸等が収納庫内に付着することがあり、収納庫内を清潔に保つためにはこまめに掃除をしなければならなかった。
【０００４】
【発明が解決しようとする課題】
本発明は、システムバスの浴室内に設置される収納庫の改良を目的とし、さらに詳しくは前記不都合を解消するために、浴室内であっても容易に乾燥させることができ、さらに内部を清潔に保つことができる収納庫を提供することを目的とする。
【０００５】
【課題を解決するための手段】
前記目的を達成するために、本発明の乾燥収納庫は、少なくとも浴室内に水又は温水を供給する温水供給手段を備えたシステムバス内に設置される収納庫であって、浴室内に設けられた収納部と、該収納部と浴室内とを遮蔽する扉と、前記収納部内に空気を導入する導入口と、該導入口に接続され浴室外に開口される導入管と、前記収納部から空気を導出する導出口と、該導出口に接続され浴室外に開口される導出管と、前記収納部内に外気を供給する送風ファンと、前記温水供給手段に接続されて前記収納部近傍に配設され、前記収納部内を加熱する温水ヒータとを備え、前記送風ファンにより前記導入管を介して前記導入口から前記収納部内に浴室外の空気を導入すると共に前記導出口から前記導出管を介して空気を導出することにより前記収納部内を乾燥した状態に保持することを特徴とする。
【０００６】
本発明の乾燥収納庫は、浴室内から遮蔽された収納部内に前記送風ファンにより外気を供給し、該収納部外に空気を排出しているので、前記収納部内の空気が強制的に換気される。このため、換気扇により浴室内全体を換気する場合に比べて前記収納部内を容易に乾燥させることができる。従って、前記収納部に収納された小物や棚の表面に水滴が付着している場合であっても速やかに乾燥されるので、小物や棚等の表面にカビ等が発生しにくい。また、浴室に換気扇が設けられている場合は、システムバスを家屋に設置する際に換気扇から室外まで配管を設置する必要がある。従って、当該配管の設置の際に前記導入管及び導出管を設置することにより、容易に前記導入口及び導出口を浴室外に接続することができる。
【０００７】
また、本発明の乾燥収納庫は、前記温水供給手段に接続されて前記収納部近傍に配設され、前記収納部内を加熱する温水ヒータを備えている。これによれば、前記温水ヒータによって前記収納部内が加熱されるので、小物の表面に水滴が付着している場合であっても速やかに蒸発するため、容易に前記収納部内を乾燥させることができる。また、前記温水ヒータには温水を供給する必要があるが、システムバスには前記温水供給手段が設けられるようになっているため、この温水供給手段に前記温水ヒータを接続することにより該温水ヒータに容易に温水を供給することができる。なお、前記温水ヒータは、前記収納部の壁面に設けられ該収納部を直接加熱するものであってもよく、前記導入口から導入される空気を加熱するものであってもよい。
【０００８】
また、本発明の乾燥収納庫においては、前記温水供給手段に接続され前記収納部内に水又は温水を噴射する噴射口と、噴射された水又は温水を前記収納部から排出する排出口とを備えることが好ましい。これによれば、シャンプーや石鹸等がこれらの容器や前記収納部の壁面等に付着している場合であっても、前記収納部内に水又は温水を噴射することにより洗浄することができるため、前記収納部内を清潔な状態に保つことができる。また、前記噴射口から温水を噴射することにより前記収納部内を加熱することができるので、噴射された温水は速やかに蒸発されると共に、該加熱により前記収納部内を速やかに乾燥させることができる。さらに、上述のように浴室近傍には前記温水供給手段が設けられているので、該温水供給手段と前記噴射口とを接続することにより、容易に前記噴射口に水又は温水を供給することができる。
【０００９】
【発明の実施の形態】
次に、本発明の乾燥収納庫の実施形態の一例について、図１及び図２を参照して説明する。図１は本実施形態の乾燥収納庫が浴室内に設置されている状態を示す説明図、図２は本実施形態の乾燥収納庫の説明的断面図である。
【００１０】
本実施形態の乾燥収納庫１は、図１に示すように、システムバスの浴室Ａの壁面に設置されており、シャンプーや石鹸等の小物Ｂを収納する収納部２と、収納部２内に設けられている棚３と、収納部２の前面を覆い左右に開閉自在の扉４とを備えている。収納部２の背面の下方部分には、収納部２内に外気を導入する導入口５が設けられており、収納部２の背面の上方部分には、収納部２内の空気が導出される導出口６が設けられている。また、図２に示すように、導入口５には導入管７の一端部が接続されており、導入管７の他端部は室外に開口されている。導出口６には導出管８の一端部が接続されており、導出管８の他端部は浴室Ａの天井に設けられた換気扇９から延設されている排気管１０に接続されている。また排気管１０の他端部は室外に開口されている。また、導出管８には送風ファン１１が設けられており、この送風ファン１１の作動によって収納部２内の空気が吸い出され、それに伴って導入口５から外気が収納部２内に導入される。
【００１１】
収納部２の左右両側面には、各棚３の上方位置に温水が噴射される噴射口１２が設けられている。また、図１及び図２に示すように、扉４と収納部２の前面との境界部分の一部に間隙を設けて排水口１３を形成しており、この排水口１３から噴射口１２より噴射された温水を収納部２の外部に排出する。
【００１２】
収納部２の裏面には、図２に示すように温水パネル１４が設置されている。温水パネル１４は、パイプが収納部２の裏面に複数列で略Ｓ字状に蛇行して形成されている。また、循環パイプ１５によって温水供給手段である熱源機１６に接続されており、熱源機１６から供給される温水によって収納部２内を加熱する。また、温水パネル１４からの復水は循環パイプ１５を介して熱源機１６に戻される。
【００１３】
噴射口１２は接続パイプ１７によって熱源機１６に接続されており、熱源機１６から供給される温水を収納部２内に噴射するものである。また、接続パイプ１７には噴射口１２に供給される温水を断続する電磁弁１８が設けられている。また、収納部２の上方部分には、扉４が閉じているか否かを検出する開閉スイッチ１９が設けられている。
【００１４】
浴室Ａの壁面には、図１に示すように、浴槽内の湯張りや追焚等の操作を行うリモコン２０が設けられており、このリモコン２０に乾燥収納庫１内の乾燥あるいは洗浄を行うための乾燥スイッチ２１及び洗浄スイッチ２２が設けられている。
【００１５】
熱源機１６は、浴槽への湯張りや追焚を行うと共に、シャワーやカランに温水あるいは水を供給するものであり、図２に示すように、乾燥収納庫１の乾燥や洗浄を制御するコントローラ２３が設けられている。このコントローラ２３には、乾燥運転及び洗浄運転の時間を制御するタイマが内蔵されている。また、コントローラ２３は、乾燥スイッチ２１、洗浄スイッチ２２、開閉スイッチ１９、送風ファン１１及び電磁弁１８に電気的に接続されている。
【００１６】
次に、本実施形態の乾燥収納庫１の使用状態について説明する。まず、使用者が乾燥スイッチ２１によって乾燥運転を開始させると、コントローラ２３は開閉スイッチ１９によって扉４が閉じられているかどうかを検出する。ここで、扉４が閉じられている場合は、タイマが作動を開始し、送風ファン１１の運転が開始される。送風ファン１１が作動を開始すると、導出口６から収納部２内の空気が吸い出され、導出管８及び排気管１０を介して室外に排出される。これにより、導入口５から導入管７を介して室外から外気が収納部２内に導入される。
【００１７】
また、同時に熱源機１６から循環パイプ１５を介して温水パネル１４に温水が供給され、収納部２内が温水パネル１４によって暖められる。これにより、収納部２内の水滴が速やかに蒸発して室外に排出され、収納部２内が乾燥した状態に保たれる。そして、乾燥運転を所定時間行うとコントローラ２３内のタイマがＯＦＦとなり、送風ファン１１の運転が停止すると共に、温水パネル１４への温水の供給が停止される。
【００１８】
また、使用者が収納部２内の清掃を行いたいときは、リモコン２０に設けられている洗浄スイッチ２２を押して洗浄運転を開始する。すると、コントローラ２３は開閉スイッチ１９によって扉４が閉じられているかどうかを検出し、扉４が閉じられている場合はタイマが作動を開始し、電磁弁１８を開弁して熱源機１６から接続パイプ１７を介して噴射口１２に温水を供給する。噴射口１２に供給された温水は収納部２内に噴射され、棚３や小物Ｂの表面に付着したシャンプーや石鹸等を洗い流す。また、収納部２内に噴射された温水は、排水口１３から収納部２外に排出され、浴室Ａ床面の排水口Ｈから排出される。そして、洗浄運転を所定時間行うとコントローラ２３内のタイマがＯＦＦとなり、電磁弁１８が閉弁して噴射口１２への温水の供給が停止される。
【００１９】
このように、本実施形態の乾燥収納庫１は、収納部２が扉４によって浴室Ａ内と遮蔽されており、送風ファン１１によって収納部２内に外気が導入されるので、浴室Ａ内に設置されていても内部を乾燥した状態に保つことができる。また、本実施形態の乾燥収納庫１では、温水パネル１４によって収納部２内を加熱しているので、収納部２内が速やかに乾燥した状態となる。さらに、噴射口１２から収納部２内に温水を噴射して収納部２内を加熱することができるので、収納部２内の洗浄が容易となると共に速やかに乾燥される。
【００２０】
また、本実施形態の乾燥収納庫１は、システムバスの浴室Ａ内に設置されるものであるため、システムバスを家屋に設置する際に温水パネル１４及び噴射口１２と熱源機１６との接続、あるいは導入管７及び導出管８の配管を同時に行えばよい。このため、従来のシステムバスの設置作業にわずかな作業を追加するだけで、本実施形態の乾燥収納庫１を設置することができる。また、本実施形態においては、導出管８を換気扇９から延設される排気管１０に接続しており、導出管８自体を室外に延設する必要がないため、導出管８の設置作業がさらに容易となる。
【００２１】
なお、上記実施形態では噴射口１２から温水を噴射しているが、水を噴射するようにしてもよい。また、上記実施形態においては温水パネル１４に供給される温水を循環温水としているが、これに限らず浴室Ａ内に排水するものとしてもよく、シャワーやカランに供給される温水を利用してもよい。
【００２２】
また、上記実施形態においては、乾燥スイッチ２１及び洗浄スイッチ２２の操作と、コントローラ２３に内蔵されたタイマとによって収納部２内の乾燥及び洗浄を行っているが、これに限らず、他の方法により乾燥及び洗浄を行ってもよい。例えば、リモコン２０により運転プログラムを作成して当該運転プログラムに従って収納部２内の乾燥及び洗浄を行ってもよい。また、洗浄スイッチ２２を押し続けている間のみ収納部２内を洗浄するようにしてもよい。さらに、リモコン２０により浴槽内の湯張りや追焚等の指示がなされた場合に所定時間乾燥あるいは洗浄を行ってもよい。
【図面の簡単な説明】
【図１】本発明の実施形態の一例である乾燥収納庫が浴室内に設置されている状態を示す説明図。
【図２】図１の乾燥収納庫の説明的断面図。
【符号の説明】
１…乾燥収納庫、２…収納部、４…扉、５…導入口、６…導出口、７…導入管、８…導出管、１１…送風ファン、１４…温水パネル（温水ヒータ）、１６…熱源機（温水供給手段）。
【図１】
0004064610.tif 000002
【図２】
0004064610.tif 000003